(57)【要約】【課題】発電装置から電力網への出力状態が、最新の更新スケジュールに対応していない異常運転状態を継続しないようにすることが可能な電力管理システムを提供すること。【解決手段】電力網Ｅへの出力が可能な太陽光パネル１と、太陽光パネル１の出力を出力制御スケジュールに基づいて制御し、出力制御スケジュールとして、予め設定された固定スケジュールと、所定期間毎に書き換えられる更新スケジュールとを備える住宅コントロールユニット１８と、最新の出力抑制に関する情報を出力する電力網管理サーバ１００と、出力抑制の最新の情報に基づいて更新スケジュールを設定し住宅コントロールユニット１８に向けて出力する住宅管理サーバ５とを備え、住宅管理サーバ５は、太陽光パネル１の出力状態が、更新スケジュールに対応せずに、固定スケジュールに対応している場合に、異常運転と判定する(S2〜S4の処理)運転監視部５２ｂを備える電力管理システムとした。【選択図】図４
2019033604.tif 000002
【特許請求の範囲】
【請求項１】
発電電力の電力網への出力が可能な発電装置と、
前記電力網に対する前記発電装置の出力を、出力許可の時間帯および出力抑制の時間帯から成る出力制御スケジュールに基づいて制御し、かつ、前記出力制御スケジュールとして、予め設定された固定スケジュールと、所定期間毎に書き換えられる更新スケジュールとを備える制御装置と、
前記電力網の状態に応じ前記出力抑制の有無および時間帯を設定するとともに、最新の前記出力抑制に関する情報を、通信網を介して出力する第１管理サーバと、
前記制御装置および前記第１管理サーバと前記通信網を介して接続され、前記出力抑制に関する最新の情報に基づいて、最新の前記更新スケジュールを設定し前記制御装置に向けて出力する第２管理サーバと、
を備えた電力管理システムであって、
前記第２管理サーバは、前記発電装置の出力状態が、最新の前記更新スケジュールに対応せずに、前記固定スケジュールに対応している場合に、異常運転と判定する異常検出部を備える電力管理システム。
【請求項２】
請求項１に記載の電力管理システムにおいて、
前記制御装置の前記固定スケジュールには、昼間に出力抑制を行う時間帯が設定され、
前記第２管理サーバは、前記更新スケジュールとして、昼間に出力抑制を行う時間帯を設定したスケジュールと、前記出力抑制を中止したスケジュールとを前記電力網の状態に応じて設定し出力する電力管理システム。
【請求項３】
請求項１または請求項２に記載の電力管理システムにおいて、
前記異常検出部は、前記更新スケジュールでは、前記出力抑制が中止された時間帯であって、前記固定スケジュールでは、前記出力抑制が設定された時間帯において、前記発電装置の前記電力網への出力が抑制されている場合に、異常運転と判定する電力管理システム。
【請求項４】
請求項１または請求項２に記載の電力管理システムにおいて、
前記異常検出部は、所定期間の前記電力網への出力量が、設定された判定基準値よりも小さい場合に、異常運転と判定する電力管理システム。
【発明の詳細な説明】
【技術分野】
【０００１】
本開示は、電力管理システムに関するものである。
【背景技術】
【０００２】
近年、太陽光発電装置などの発電装置が普及し、電力会社などの電力網では、発電装置の出力抑制が想定されている。
そして、この出力抑制に伴い、従来、発電装置の管理装置において、電力会社からの出力抑制の情報を受信し、これに応じた出力制御を実行する電力管理システムが提案されている（例えば、特許文献１参照）。
この従来技術は、出力抑制を指示する出力抑制の情報を外部サーバから通信ネットワークを介して受信する第１通信部と、第１通信部が受信した出力抑制の情報を含む情報を、電力を管理する電力管理装置に送る第２通信部とを備えたものである。
【先行技術文献】
【特許文献】
【０００３】
【特許文献１】特許第６０６９５９７号公報
【発明の概要】
【発明が解決しようとする課題】
【０００４】
しかしながら、上述の従来技術において、通信ネットワークなどに何らかの異常があって、出力抑制の情報が通信部に入力されない場合、正しく出力抑制が実行されないおそれがあった。
【０００５】
そこで、本発明は、発電装置から電力網への出力状態が、最新の更新スケジュールに対応していない異常運転状態を継続しないようにすることが可能な電力管理システムを提供することを目的としている。
【課題を解決するための手段】
【０００６】
前記目的を達成するために、本開示の電力管理システムは、
発電電力の電力網への出力が可能な発電装置と、
前記電力網に対する前記発電装置の出力を、出力許可の時間帯および出力抑制の時間帯から成る出力制御スケジュールに基づいて制御し、かつ、前記出力制御スケジュールとして、予め設定された固定スケジュールと、所定期間毎に書き換えられる更新スケジュールとを備える制御装置と、
前記電力網の状態に応じ前記出力抑制の有無および時間帯を設定するとともに、最新の前記出力抑制に関する情報を、通信網を介して出力する第１管理サーバと、
前記制御装置および前記第１管理サーバと前記通信網を介して接続され、前記出力抑制に関する最新の情報に基づいて、最新の前記更新スケジュールを設定し前記制御装置に向けて出力する第２管理サーバと、
を備えた電力管理システムであって、
前記第２管理サーバは、前記発電装置の出力状態が、最新の前記更新スケジュールに対応せずに、前記固定スケジュールに対応している場合に、異常運転と判定する異常検出部を備える電力管理システムとした。
【発明の効果】
【０００７】
本開示の電力管理システムでは、発電装置から電力網への出力状態が、最新の更新スケジュールに対応せずに固定スケジュールに対応している場合に、異常運転と判定する。したがって、最新の更新スケジュールに対応しない出力状態を継続することを回避可能である。
【図面の簡単な説明】
【０００８】
【図１】本発明の実施の形態１の電力管理システムの全体構成を模式的に示す全体システム図である。
【図２】前記電力管理システムにおける住宅側の構成を示すブロック図である。
【図３】前記電力管理システムにおける住宅管理サーバ側の構成を示すブロック図である。
【図４】前記電力管理システムによる異常運転判定処理の流れを示すフローチャートである。
【図５Ａ】正常に更新スケジュールの更新が行われている住宅における時間帯別の発電量の推移を示す図である。
【図５Ｂ】更新スケジュールの更新が行われずに固定スケジュールに基づい太陽光パネルの運転が行われている住宅における時間帯別の発電量の推移を示す図である。
【図６】実施の形態２の電力管理システムによる異常運転判定処理の流れを示すフローチャートである。
【発明を実施するための形態】
【０００９】
以下、本発明の実施の形態について図面を参照して説明する。
（実施の形態１）
まず、図１を参照しながら実施の形態１の電力管理システムを実施する発電システム評価装置としての電力制御システムの全体構成について説明する。
【００１０】
この電力制御システムは、制御される建物としての住宅Ｈ１，Ｈ２，Ｈ３，・・・，ＨＸは、電力会社の発電所や地域毎に設置されたコジェネレーション設備などの系統電力網としての電力網Ｅ（図２参照）に接続されている。なお、以下の説明において、住宅Ｈ１，・・・，ＨＸのうちの特定のものを指さない場合は、単に住宅Ｈと表記する。
【００１１】
図示の各住宅Ｈは、発電装置としての太陽光パネル１と、電力を一時的に蓄えておく蓄電池２とを備えている。さらに、これらの住宅Ｈは、それぞれインターネットなどの外部の通信ネットワークＮを介して住宅管理サーバ５に接続され、住宅管理サーバ５との間で、計測値や演算処理結果などのデータの送受信や各種制御信号の送受信などが行われる。
【００１２】
なお、図示の住宅Ｈは、太陽光パネル１と蓄電池２を備えたものを図示しているが、少なくとも、太陽光パネル１などの発電装置を備えていればよい。
また、住宅管理サーバ５は、図示は省略するが、ＣＰＵとＲＡＭ、ＲＯＭなどのメモリを備えた情報処理装置により構成され、ＣＰＵの制御による通信ネットワークＮを介した通信を行う通信インタフェース５１（図３参照）などを備える。
【００１３】
（住宅側の構成）
次に、住宅Ｈの電力系統および通信系統を模式的に示すブロック図である図２に基づいて、住宅Ｈ側の構成について説明する。
各住宅Ｈの電力供給系として、分電盤１０が設けられている。
分電盤１０は、電力網Ｅに接続され、かつ、住宅Ｈの太陽光パネル１、蓄電池２、電力負荷群３に接続されている。
【００１４】
太陽光パネル１は、太陽電池を利用することによって、太陽光を電力に変換して発電を行う装置である。この太陽光パネル１は、太陽光を受けることができる時間帯のみ電力を供給することが可能である。また、太陽光パネル１によって発電された直流電力は、通常、パワーコンディショナ（不図示）によって交流電力に変換されて使用される。なお、これらの住宅Ｈに設置された太陽光パネル１は、複数の仕様があり、仕様の違いで発電容量などがことなるもので、住宅Ｈごとの仕様の違いについては、住宅管理サーバ５側の後述する邸情報データベース５３ａに記憶されている。
【００１５】
一方、蓄電池２も、太陽光パネル１と同様に、パワーコンディショナ（不図示）により直流−交流の変換が成されて、蓄電（充電）および放電の制御がなされる。この蓄電、放電の制御は、例えば、蓄電池２に、電力網Ｅから供給される深夜電力などの電力価格が安い電力や、太陽光パネル１にて発電された電力を蓄電し、電力網Ｅの電力価格が高い時間帯に放電を行うよう制御する。加えて、パワーコンディショナ（不図示）は、発電電力の一部あるいは全てを、電力網Ｅ側に放電して売電する制御も実行する。
【００１６】
なお、蓄電池としてさらに電動車両ＭＶを含んでよい。この電動車両ＭＶに車載の蓄電池（不図示）は、ＥＶパワーコンディショナ８を介して分電盤１０と接続可能となっている。この電動車両ＭＶに搭載された蓄電池（不図示）は、走行のための充電を行う場合は負荷となる一方で、住宅Ｈの電力負荷群３のために放電させる蓄電池２として用いることができる。なお、電動車両ＭＶとしては、モータのみを駆動源とするもののみならず、エンジンも搭載したプラグインハイブリッド車を含む。
【００１７】
電力負荷群３は、電力を消費して駆動する複数の電力負荷から成るもので、電力負荷としては、例えば、給湯装置３１、空調装置３２、照明スタンドやシーリングライトなどの照明装置（不図示）、冷蔵庫やテレビなどの家電装置（不図示）、調理装置などが含まれる。そして、分電盤１０と、電力負荷群３の各電力負荷とは、複数の分岐回路２０ａ，２０ｂ〜２０ｎを介して接続されている。
【００１８】
電力負荷群３などの消費電力は、計測装置４により計測される。
すなわち、計測装置４は、電力網Ｅから分電盤１０へ向けて供給される買電力量、住宅Ｈから電力網Ｅへ向けて出力される売電力量、太陽光パネル１で発電された発電電力量、蓄電池２から放電される放電電力量、蓄電池２に充電される充電電力量を計測する。さらに、各分岐回路２０ａ〜２０ｎを介して電力負荷群３へ供給される消費電力量を計測するようにしてもよい。
【００１９】
また、計測装置４による各電力量の計測は、３０秒単位、１分単位、１時間単位などの任意の時間毎に積算して行うことができる。そして、計測装置４によって計測された計測値のデータは、住宅管理サーバ５側の後述する消費電力履歴データベース５３ｂに入力され保存される。
【００２０】
そして、各住宅Ｈには、通信インタフェース１９が設けられている。この通信インタフェース１９は、インターネットなどの外部の通信ネットワークＮを介して住宅管理サーバ５に接続されており、住宅管理サーバ５との間で、計測装置４の計測値や住宅管理サーバ５における演算処理結果などのデータの送受信や制御信号の送受信を行う。
【００２１】
また、住宅コントロールユニット１８は、分電盤１０から蓄電池２を含む電力負荷群３への電力の供給をコントロールすることができるもので、この住宅コントロールユニット１８は、住宅管理サーバ５から送られる運転計画に基づいて、蓄電池２を含む電力負荷群３の運転を行う。
【００２２】
さらに、住宅コントロールユニット１８は、太陽光パネル１の発電および発電した電力の電力網Ｅへの出力（売電）を制御する。
この住宅コントロールユニット１８による発電および売電の制御は、住宅コントロールユニット１８に入力された出力制御スケジュールに基づいて実行される。そして、この出力制御スケジュールとしては、住宅管理サーバ５から日々更新されて送られてくる更新スケジュールと、予め設定されて、住宅コントロールユニット１８の記憶部に入力されている固定スケジュールと、が存在する。
【００２３】
ここで、固定スケジュールは、予め、出力抑制を見越して、１０時台〜１３時台における発電量（売電量）を抑制するように設定されている。一方、更新スケジュールについては、後述するが、毎日、発電所の状況や、各住宅Ｈの太陽光パネル１を含む分散された発電装置の発電状況を勘案し、出力抑制の時間帯を設定したり、この出力抑制を中止したりする。
【００２４】
また、住宅コントロールユニット１８では、通常、初期設定により、更新スケジュールに基づいて制御を行うよう設定する。また、更新スケジュールに基づいて制御を行う場合、更新スケジュールが配信されないなどの異常の発生時などには、固定スケジュールに移行するように設定されている。
【００２５】
（各管理サーバの構成）
電力網管理サーバ１００は、電力網Ｅを管理するサーバであり、日々、発電所の発電状況や、各住宅Ｈなどに分散された発電装置の発電状況に基づいて、出力抑制の中止を含む、出力抑制を実行する時間帯（幅など）を決定し、最新の出力抑制の情報を所定期間毎（例えば、１日１回）に、通信ネットワークＮに向けて出力する。なお、出力抑制の情報は、１日に１回の更新に限らず、１日に複数回、或いは、複数日に１回や１週間に１回などでもよい。
【００２６】
次に、図３に基づいて、住宅管理サーバ５の構成について説明する。
住宅管理サーバ５は、通信インタフェース５１と、各種制御を行う制御部５２と、邸情報データベース（ＤＢ）５３ａと、消費電力履歴データベース（ＤＢ）５３ｂと、電力価格データベース（ＤＢ）５３ｃと、気象データベース（ＤＢ）５３ｄと、運転パターンデータベース（ＤＢ）５３ｅとを備える。
【００２７】
通信インタフェース５１は、通信ネットワークＮを介して各住宅Ｈから送信されてくる計測値、処理要求などを、住宅管理サーバ５の制御部５２に送る。また、通信インタフェース５１は、各種データベース５３ａ〜５３ｅに記憶されたデータ、制御部５２で行われた演算処理結果、更新プログラムなどを各住宅Ｈに向けて送る機能を有している。なお、この制御部５２で行われた演算処理結果として、家庭での電力の使用の効率化を図ってエネルギを節約するいわゆるＨＥＭＳ（Home Energy Management System）制御が含まれる。
【００２８】
邸情報データベース５３ａには、各住宅Ｈに与えられた邸コード（識別番号）、およびその邸コードに関連付けられた住所、建築年、断熱性能、間取りおよび床面積、電気配線、使用部材、太陽光パネル１の仕様（発電容量）、蓄電池２の仕様（蓄電容量、定格出力）などの各種設備の仕様に関する情報が記憶されている。さらに、邸情報データベース５３ａには、住宅Ｈごとに、実際の単位時間毎の発電量が、気象データ（日射量）に関連付けて記憶されている。例えば、住宅Ｈ毎に太陽光パネル１の設置条件が異なることから、同じ地域区分で同じ日射量であっても、発電量に違いが生じるため、住宅Ｈごとにそのデータを記憶する。
【００２９】
消費電力履歴データベース５３ｂには、各住宅Ｈで計測あるいは演算された消費電力量を含む電力データが、通信インタフェース５１を介して受信されて記憶される。この消費電力量の履歴は、単位時間毎に記憶されるとともに、曜日など暦に関連付けして記憶される。なお、消費電力履歴データベース５３ｂでは、気温などの気象条件に影響を受け易い空調装置３２などの空調負荷および給湯装置３１などの給湯負荷の消費電力量と、気温などの気象条件に影響を受け難いその他の負荷の消費電力量とを負荷別にカテゴリー分けして記憶してもよい。
【００３０】
さらに、消費電力履歴データベース５３ｂには、住宅Ｈごとに、実際の単位時間毎の発電電力量が、気象データ（日射量）に関連付けて記憶されている。例えば、住宅Ｈ毎に太陽光パネル１の設置条件が異なることから、同じ地域区分で同じ日射量であっても、発電量に違いが生じるため、住宅Ｈごとにそのデータを記憶する。加えて、消費電力履歴データベースには、単位時間毎の買電電力量も記憶されている。
【００３１】
電力価格データベース５３ｃには、時間帯毎の電力価格（住人側から見て買電価格）や、太陽光パネル１で発電した電力を電力会社などが買い取る価格（住人側から見て売電価格）が記憶されている。
【００３２】
気象データベース５３ｄには、気象庁や気象予報会社などの図示省略のサーバから通信ネットワークＮを介して受信した各住宅Ｈが立地する全国各地の気温や日射量などの翌日の気象予報データが記憶されている。さらに、気象データベース５３ｄには、時々刻々の実際の気象データ、気温、湿度、日照量などの気象データを記憶し、これを過去のデータとして用いるようにしてもよい。
運転パターンデータベース５３ｅには、各住宅Ｈに設置された電力負荷群３および蓄電池２の様々な運転パターンが、気象データに対応付けて記憶されている。
【００３３】
制御部５２は、運転計画部５２ａ、運転監視部５２ｂを備える。
運転計画部５２ａは、翌日の気象予報および過去の消費電力量データや、出力抑制の情報に基づいて、翌日の時間毎の必要な消費電力量、発電量、運転パターンを予測し、蓄電池２の蓄電運転時刻、放電運転時刻、給湯装置３１による蓄湯運転時刻などの設定を行う。さらに、運転計画部５２ａでは、電力網管理サーバ１００から送られてくる出力抑制の情報に応じ、太陽光パネル１の時間帯毎の発電量のスケジュールである出力制御スケジュールを作成し、各住宅Ｈに向けて出力する。
【００３４】
運転監視部５２ｂは、住宅Ｈから送られてくるデータに基づいて、住宅Ｈにおける電力を利用する運転状態を監視し、蓄電池２の異常を含む異常発生時には、その異常を報せるなどの異常に応じた処理を実行する。なお、この異常を報せる処理としては、表示装置１８ａにより表示する処理や、あるいは住宅Ｈの管理会社に、通信ネットワークＮを介して電話やメールなどにより報せる処理などを行う。
【００３５】
さらに、運転監視部５２ｂは、住宅Ｈにおいて、太陽光パネル１が、更新スケジュールに基づいて正常に運転されているか否かを判定し、更新スケジュールに基づく運転が実行されていない場合、これを報せる異常運転判定を実行している。
【００３６】
（出力抑制および異常運転判定）
次に、上述した電力網Ｅに対する出力抑制および運転監視部５２ｂによる異常運転判定について説明する。
【００３７】
本実施の形態１では、電力網Ｅに対する出力抑制は、住宅管理サーバ５と、住宅コントロールユニット１８と、電力網管理サーバ１００と、により制御される。
電力網管理サーバ１００では、前述のように、日々更新する最新の出力抑制の情報を、通信ネットワークＮに出力する。そして、この出力抑制の情報は、住宅管理サーバ５に入力され、この出力抑制の情報に基づいて作成された更新スケジュールが、住宅コントロールユニット１８に送られ、各住宅Ｈの太陽光パネル１は、基本的には、更新スケジュールに基づいて、その発電量あるいは売電量が制御される。
【００３８】
なお、出力抑制の情報は、翌日あるいは複数日後における出力抑制を行う時間帯を報せる情報である。また、出力抑制の情報は、毎日（１日に１回）更新されるものとするが、これに限らず、１日に複数回、或いは、複数日に１回や１週間に１回などでもよい。
また、出力抑制は、例えば、１０時台〜１３時台の太陽光パネル１の発電量が多い時間帯などにおいて、太陽光パネル１から電力網Ｅへの出力（売電）を制限する。
【００３９】
住宅管理サーバ５では、出力抑制の情報を受け取ると、この出力抑制の情報に基づいた出力制御スケジュールを作成し、この最新の出力制御スケジュールである更新スケジュールを、太陽光パネル１が設置された各住宅Ｈに向けて、通信ネットワークＮを介して配信する。
【００４０】
この更新スケジュールは、１日の時間帯において、電力網Ｅへ出力（売電）可能な時間帯と、出力（売電）が制限された時間帯とが設定されている。そして、出力抑制が中止された場合には、更新スケジュールは、全ての時間帯において電力網Ｅへ出力（売電）可能なスケジュールとする。
【００４１】
さらに、住宅管理サーバ５の運転監視部５２ｂでは、太陽光パネル１を備えた各住宅Ｈにおいて、更新スケジュールに応じた運転が実行されているか否かを判定する異常運転判定制御を実行するもので、以下に、この異常運転判定制御を図４のフローチャートに基づいて説明する。
【００４２】
この異常運転判定制御は、住宅管理サーバ５に記録された各住宅Ｈについて１軒１軒、実行するもので、まず、ステップＳ１では、異常運転判定の対象となる住宅Ｈが、出力抑制対象の住宅Ｈであるか否かを判定し、対象外であれば、その住宅Ｈに対する異常運転判定制御を終了し、次の住宅Ｈの判定に移行する。
【００４３】
ステップＳ１において、住宅Ｈが出力抑制対象の住宅Ｈである場合に進むステップＳ２では、判定対象の住宅Ｈの売電状況を読み込み、その出力状態が、予め設定されている固定スケジュールに対応しているか判定する。具体的には、出力抑制が中止された日の太陽光パネル１の発電量を読み込み、固定スケジュールにおける出力抑制の時間帯に、出力抑制（売電抑制）が成されているか否か判定する。
【００４４】
ステップＳ２において、ＹＥＳ、すなわち固定スケジュールに対応していると判定した場合に進むステップＳ３では、更新スケジュールの更新が行われていないと判定し、その旨を、住宅Ｈに向けてメールにて知らせるとともに、住宅管理部門などにもこれを報せ、復旧を図る（Ｓ４）。
一方、ステップＳ２においてＮＯ、すなわち固定スケジュールに対応していないと判定した場合は、更新スケジュールの更新が成されている（異常なし）と判定し、終了する。
【００４５】
（実施の形態１の作用）
次に、実施の形態１の作用について説明する。
インターネットなどの通信ネットワークＮを介して、住宅管理サーバ５から住宅Ｈの住宅コントロールユニット１８に向けて通信を行う場合に、なんらかの影響により通信ネットワークＮが途絶することがある。そして、このように更新スケジュールが更新されないなどの異常発生時には、予め設定された固定スケジュールに移行する。
【００４６】
このように、固定スケジュールに移行された場合、最新の更新スケジュールでは、出力抑制が中止されているにも関わらず、固定スケジュールに基づいて、出力抑制が行われる場合がある。
【００４７】
図５Ａ、図５Ｂは、同日の、正常に更新スケジュールに基づいて太陽光パネル１により発電が行われている複数の住宅Ｈの発電量と、何らかの異常により固定スケジュールに基づいて太陽光パネル１の発電が行われている住宅Ｈの発電量とを比較するものである。なお、図１では、住宅Ｈにおいて、太陽光パネル１および蓄電池２が設置されているものを示しているが、太陽光パネル１は設置されているが、蓄電池２が設置されていない住宅Ｈも存在する。そして、このような住宅Ｈでは、発電電力をそのまま電力網Ｅに出力する場合もある。そこで、図５Ａ、図５Ｂでは、太陽光パネル１の発電量＝出力として、時間帯別の発電量を示している。
【００４８】
図５Ａは、出力抑制が中止された日の更新スケジュールに基づいて発電を行っている複数の住宅Ｈａ〜Ｈｈの太陽光パネル１の、時間帯毎の発電量を示す図である。図５Ｂは、異常発生により固定スケジュールに基づいて発電を行っている住宅Ｈｉ場合の、時間帯毎の発電量を示す図である。
【００４９】
図５Ｂに示すように、固定スケジュールによる発電では、１０時台〜１３時台に出力抑制を行うため、その時間帯の発電量が低下している。
一方、正常な住宅Ｈでは、出力抑制が中止されているため、その発電量は、図５Ａに示すように、１０時台〜１３時台の発電量が高くなっている。
【００５０】
このように、出力抑制が中止された日において固定スケジュールの出力抑制の時間帯に、出力抑制（売電抑制）が成されているか否かを判定することで、固定スケジュールに基づいた発電（売電）状態であるか否かを判定することができる。
【００５１】
そして、運転監視部５２ｂでは、住宅Ｈｉのように、固定スケジュールに基づく出力抑制が実行されていることを検出すると、メールにより、住宅Ｈｉに向けて異常を報せるとともに、住宅管理部などにも異常を報せ、復旧を図る。
【００５２】
なお、上述のように固定スケジュールに基づく太陽光パネル１の運転制御を継続した場合、出力抑制が中止された日の発電量低下が継続されることになり、トータルで、大幅な発電量低下を招くおそれがある。
本実施の形態１では、このような不具合を解消することができる。
【００５３】
（実施の形態１の効果）
以下に、本開示の実施の形態１の効果を列挙する。
１）実施の形態１の電力管理システムは、
発電電力の電力網Ｅへの出力が可能な太陽光パネル１と、
電力網Ｅに対する太陽光パネル１の出力を、出力許可の時間帯および出力抑制の時間帯から成る出力制御スケジュールに基づいて制御し、かつ、出力制御スケジュールとして、予め設定された固定スケジュールと、所定期間毎に書き換えられる更新スケジュールとを備える制御装置としての住宅コントロールユニット１８と、
電力網Ｅの状態に応じ出力抑制の有無および時間帯を設定するとともに、最新の出力抑制に関する情報を、通信ネットワークＮを介して出力する電力網管理サーバ１００と、
住宅コントロールユニット１８および電力網管理サーバ１００と通信ネットワークＮを介して接続され、出力抑制に関する最新の情報に基づいて、最新の更新スケジュールを設定し住宅コントロールユニット１８に向けて出力する住宅管理サーバ５と、
を備えた電力管理システムであって、
住宅管理サーバ５は、太陽光パネル１の出力状態が、最新の更新スケジュールに対応せずに、固定スケジュールに対応している場合に、異常運転と判定する運転監視部５２ｂを備える電力管理システムとした。
したがって、最新の更新スケジュールに対応しない出力状態を継続することを回避可能である。
【００５４】
２）実施の形態１の電力管理システムは、
住宅コントロールユニット１８の固定スケジュールには、昼間に出力抑制を行う時間帯が設定され、
住宅管理サーバ５は、更新スケジュールとして、昼間に出力抑制を行う時間帯を設定したスケジュールと、出力抑制を中止したスケジュールとを設定し、かつ、固定スケジュールは、昼間に出力抑制を行う時間帯が設定されている電力管理システム。
したがって、固定スケジュールと、更新スケジュールとでは、出力抑制の状態が異なる時間帯が生じ得る。このため、太陽光パネル１の出力状態が、更新スケジュールに対応せずに、固定スケジュールに対応しているか否かを判定することが可能である。
【００５５】
３）実施の形態１の電力管理システムは、
運転監視部５２ｂは、更新スケジュールでは、出力抑制が中止された時間帯であって、固定スケジュールでは、出力抑制が設定された時間帯において、太陽光パネル１の電力網Ｅへの出力が抑制されている場合に、異常運転と判定する電力管理システムとした。
したがって、太陽光パネル１の発電状態を検出し、両スケジュールと比較するだけの簡単な構成で、異常の判定を行うことができる。
【００５６】
（他の実施の形態）
次に、本開示の他の実施の形態について説明する。
なお、他の実施の形態の説明において、実施の形態１および他の実施の形態と共通する構成にはその構成と同じ符号を付して説明を省略し、相違点のみ説明する。
【００５７】
（実施の形態２）
実施の形態２の管理システムは、異常運転判定のやり方が実施の形態１と異なる。この実施の形態２において運転監視部５２ｂにて実行する異常運転判定の処理の流れを図６のフローチャートに基づいて説明する。なお、この異常運転判定は、実施の形態１と同様に、太陽光パネル１が設置された住宅Ｈについて、１軒、１軒行うものである。
【００５８】
最初のステップＳ２１では、異常運転判定の対象となる住宅Ｈの月毎の総発電量である月次発電量を演算するとともに、その月の第１判定基準値を取得する。
まず、月次発電量は、下記式（１）により演算する。
月次発電量（１ｋＷあたり）＝前月分の月別発電量÷太陽光パネル容量・・・（１）
一方、第１判定基準値は、太陽光パネル１の容量に応じて、その該当する月毎に、予め設定した値であってもよいし、あるいは、異常運転判定の対象となる住宅Ｈと同様の地域に存在する複数の住宅Ｈの同月の総発電量の平均値から求めてもよい。平均値から求める場合、第１判定基準値は、平均値よりも低い値に設定する。すなわち、第１判定基準値は、出力抑制が中止になった日も出力抑制が実行されているか否かを判定する値であるから、平均値よりも低い値に設定するもので、例えば、平均値に１未満の係数（例えば、０．８〜０．５程度の範囲内の値）を乗じて求める。
【００５９】
続くステップＳ２２では、異常運転判定の対象となる住宅Ｈの月次総発電量が第１判定基準値以上であるか否か判定する。そして、月次総発電量≧第１判定基準値の場合は、異常なしとして、処理を終える（エンド）。一方、月次総発電量＜第１判定基準値の場合は、ステップＳ２３に進んで、さらに詳細に、異常運転判定を行う。
【００６０】
この詳細な異常判定を行うステップＳ２３では、時間毎最大発電量を演算するともに、第２判定基準値を取得する。
ここで、時間毎最大発電量は、下記式（２）により演算する。
時間毎最大発電量（１ｋＷあたり）＝
前月分の時間別発電量（最大値）÷太陽光パネル容量・・・（２）
一方、第２判定基準値は、太陽光パネル１の容量に応じて、予め設定した値であってもよいし、あるいは、異常運転判定の対象となる住宅Ｈと同様の地域に存在する複数の住宅Ｈの同月の時間別最大発電量の平均値から求めてもよい。平均値から求める場合、第２判定基準値は、第１判定基準値と同様に平均値よりも低い値に設定する。この第２判定基準値も、出力抑制が中止になった日も出力抑制が実行されているか否かを判定する値であるから、平均値よりも低い値に設定するもので、例えば、平均値に１未満の係数（例えば、０．８〜０．５程度の範囲内の値）を乗じて求める。
【００６１】
続くステップＳ２４では、異常運転判定の対象となる住宅Ｈの時間毎最大発電量が第２判定基準値以上であるか否か判定する。そして、時間毎最大発電量≧第２判定基準値の場合は、異常なしとして、処理を終える（エンド）。一方、時間毎最大発電量＜第２判定基準値の場合は、以上分点であるとして、ステップＳ２４に進んで、更新スケジュールの更新の異常をメールにて報せ、復旧を図る。
【００６２】
すなわち、実施の形態１と同様に、更新スケジュールにおいて、出力抑制が中止になった場合、図５Ａに示すように、昼間の１０時台〜１３時台の間に、時間別発電量が最大となる。それに対して、太陽光パネル１を固定スケジュールにより運転させた場合、図５Ｂに示すように、出力抑制の時間帯の前後で、時間別発電量が最大値となるとともに、その値は、正常な住宅Ｈａ〜Ｈｈの最大値と比較して小さな値となる。
【００６３】
この図５Ｂに示す更新スケジュールの更新が正常に行われない住宅Ｈでは、出力抑制が中止になった日の総発電量および時間別最大発電量が正常は住宅Ｈａ〜Ｈｈの総発電量および時間別最大発電量よりも小さな値となる。
【００６４】
したがって、このように更新スケジュールの更新が正常に行われない住宅Ｈでは、ステップＳ２２およびステップＳ２４においてＮＯと判定され、太陽光パネル１が固定スケジュールに基づいて運転されている異常運転状態を検出することができる。
【００６５】
（実施の形態２の効果）
2-1）実施の形態１の電力管理システムは、
運転監視部５２ｂは、所定期間の電力網Ｅへの出力量が、設定された判定基準値よりも小さい場合に、異常運転と判定する電力管理システムとして。
したがって、太陽光パネル１の発電状態を検出するだけの簡単な構成で、異常の判定を行うことができる。そして、これにより、最新の更新スケジュールに対応しない出力状態を継続することを回避可能である。
【００６６】
以上、図面を参照して、本発明の実施の形態を詳述してきたが、具体的な構成は、この実施の形態に限らず、本発明の要旨を逸脱しない程度の設計的変更は、本発明に含まれる。
【００６７】
例えば、実施の形態では、本開示の電力管理システムを、住宅に設けられた太陽光パネルの運転状態のスケジュール管理に適用した例を示したが、これに限定されるものではない。すなわち、住宅以外の建物に適用した発電装置や、建物以外に設置された発電装置の運転の異常判定にも適用することができる。そして、発電装置としても、太陽光パネルに限定されず、風力発電装置、水力発電装置、地熱発電装置などの他の発電装置にも適用することができる。
【００６８】
また、実施の形態では、太陽光パネル（発電装置）の出力として、検出の簡略化のため、その発電量を検出し、発電量に基づいて異常運転の判定を行うようにした例を示したが、電力網への売電量に基づいて異常運転の判定を行うようにしてもよい。
また、発電装置の出力抑制は、少なくとも電力網に対する出力を抑制すればよく、出力抑制の時間帯は、発電装置の発電自体は抑制することなく、発電した電力を蓄電池に充電するようにしてもよい。
【符号の説明】
【００６９】
１     太陽光パネル（発電装置）
５     住宅管理サーバ（第２管理サーバ）
１８   住宅コントロールユニット（制御装置）
１００ 電力網管理サーバ（第１管理サーバ）
Ｅ     電力網
Ｎ     通信ネットワーク（通信網）
【図１】
2019033604.tif 000003
【図２】
2019033604.tif 000004
【図３】
2019033604.tif 000005
【図４】
2019033604.tif 000006
【図５Ａ】
2019033604.tif 000007
【図５Ｂ】
2019033604.tif 000008
【図６】
2019033604.tif 000009